(57)【要約】 【課題】  低コストで種々のデザインを採用できる外構構造を提供する。【解決手段】  外構構造が、複数のブロック（１４、１４ａ、５４）とＬ字状部材（１２、３２、５２）を有する。Ｌ字状部材（１２、３２、５２）が、縦方向部分（１６、３６、５６）と、その縦方向部分（１６、３６、５６）の一端に垂直に連結された横方向部分（１８、３８、５８）からなる。縦方向部分（１６、３６、５６）は直立し、かつ、横方向部分（１８、３８、５８）は上側に位置して水平方向に配置されている。縦方向部分（１６、３６、５６）および／または横方向部分（１８、３８、５８）の支持面（１６ａ、１６ｂ、１８ａ、３６ａ、３６ｂ、３８ａ、５６ｂ、５８ａ）にブロック（１４、１４ａ、５４）が支持されている。【選択図】  図１
2006169908.tif 000002
【特許請求の範囲】
【請求項１】
複数のブロック（１４、１４ａ、５４）とＬ字状部材（１２、３２、５２）を有し、Ｌ字状部材（１２、３２、５２）が、縦方向部分（１６、３６、５６）と、その縦方向部分（１６、３６、５６）の一端に垂直に連結された横方向部分（１８、３８、５８）からなり、縦方向部分（１６、３６、５６）が直立し、かつ、横方向部分（１８、３８、５８）が上側に位置して水平方向に配置されており、縦方向部分（１６、３６、５６）と横方向部分（１８、３８、５８）の少なくとも一方の支持面（１６ａ、１６ｂ、１８ａ、３６ａ、３６ｂ、３８ａ、５６ｂ、５８ａ）にブロック（１４、１４ａ、５４）が支持されている外構構造。
【請求項２】
横方向部分（１８、３８、５８）が、上側に支持面として上側支持面（１８ａ、３８ａ、５８ａ）を有しており、その上側支持面（１８ａ、３８ａ、５８ａ）の幅が、ブロック（１４、５４）の幅の倍数と実質的に等しく構成されていることを特徴とする請求項１に記載の外構構造。
【請求項３】
縦方向部分（１６、３６、５６）が、横方向部分（１８、３８、５８）の向けられた側と反対側に支持面として外側支持面（１６ｂ、３６ｂ、５６ｂ）を有しており、その外側支持面（１６ｂ、３６ｂ、５６ｂ）の長さが、地中に入る部分を除いて、ブロック（１４、５４）の高さの倍数と実質的に等しく構成されていることを特徴とする請求項１又は２に記載の外構構造。
【請求項４】
縦方向部分（１６、３６）が、横方向部分（１８、３８）の向けられた側と反対側に支持面として外側支持面（１６ｂ、３６ｂ）を有しており、その外側支持面にブロック（１４）が接触して配置されており、縦方向部分（１６、３６）が、横方向部分（１８、３８）の向けられた側と同じ側に支持面として内側支持面（１６ａ、３６ａ）を有しており、その内側支持面（１６ａ、３６ａ）に更なるブロック（１４ａ）が接触して配置されていることを特徴とする請求項１〜３のいずれか１項に記載の外構構造。
【請求項５】
Ｌ字状部材（１２、３２、５２）の厚さが、ブロック（１４、１４ａ、５４）の厚さと実質的に等しく構成されていることを特徴とする請求項１〜４のいずれか１項に記載の外構構造。
【請求項６】
ブロック（１４、１４ａ、５４）が、コンクリートブロック、ガラスブロック、レンガのうち１種類または複数種類で構成されていることを特徴とする請求項１〜５のいずれか１項に記載の外構構造。
【請求項７】
Ｌ字状部材が鉄の構造材であることを特徴とする請求項１〜６のいずれか１項に記載の外構構造。
【請求項８】
縦方向部分（１６、３６）が、横方向部分（１８、３８）の向けられた側と同じ側に支持面として内側支持面（１６ａ、３６ａ）を有しており、内側支持面（１６ａ、３６ａ）に更なるブロック（１４ａ）が支持されていて、縦方向部分（１６、３６）、横方向部分（１８、３８）、及び更なるブロック（１４ａ）で囲まれた領域に開放側端（２２、４２）が形成されていることを特徴とする請求項１〜７のいずれか１項に記載の外構構造。
【請求項９】
縦方向部分（１６、３６）が、横方向部分（１８、３８）の向けられた側と同じ側に支持面として内側支持面（１６ａ、３６ａ）を有しており、内側支持面（１６ａ、３６ａ）に更なるブロック（１４ａ）が支持されていて、更なるブロック（１４ａ）の縦方向部分（１６、３６）と反対側にブロック（１４）が少なくとも横方向部分（１８、３８）の高さまで組積されて配置されており、縦方向部分（１６、３６）、横方向部分（１８、３８）、ブロック（１４）、及び更なるブロック（１４ａ）で囲まれた領域に矩形の空間が形成されていることを特徴とする請求項１〜７のいずれか１項に記載の外構構造。
【請求項１０】
ブロック（１４、１４ａ、５４）を支持するためのＬ字状部材であって、縦方向部分（１６、３６、５６）と、その縦方向部分（１６、３６、５６）の一端に垂直に連結された横方向部分（１８、３８、５８）からなり、縦方向部分（１６、３６、５６）と横方向部分（１８、３８、５８）の厚さが、ともにブロック（１４、１４ａ、５４）の厚さと実質的に等しく構成されているＬ字状部材。
【請求項１１】
横方向部分（１８、３８、５８）が、上側にブロック（１４、５４）を支持するための上側支持面（１８ａ、３８ａ、５８ａ）を有しており、上側支持面（１８ａ、３８ａ、５８ａ）の幅が、ブロック（１４、５４）の幅の倍数と実質的に等しく構成されていることを特徴とする請求項１０に記載のＬ字状部材。
【請求項１２】
縦方向部分（１６、３６、５６）が、横方向部分（１８、３８、５８）の向けられた側と反対側にブロック（１４、５４）を支持するための外側支持面（１６ｂ、３６ｂ、５６ｂ）を有しており、外側支持面（１６ｂ、３６ｂ、５６ｂ）の長さが、地中に入る部分を除いて、ブロック（１４、５４）の高さの倍数と実質的に等しく構成されていることを特徴とする請求項１０又は１１に記載のＬ字状部材。
【請求項１３】
横方向部分（１８、３８、５８）が、上側にブロック（１４、５４）を支持するための上側支持面（１８ａ、３８ａ、５８ａ）を有しており、上側支持面（１８ａ、３８ａ、５８ａ）の幅が、ブロック（１４、５４）の幅以上であることを特徴とする請求項１０に記載のＬ字状部材。
【発明の詳細な説明】
【技術分野】
【０００１】
本発明は、複数のブロックからなる門や塀などの外構構造及び外構構造のためのＬ字状部材に関する。
【背景技術】
【０００２】
複数のブロックを用いて門や塀などの外構構造を製造することは公知である。
【０００３】
このような外構構造には、種々のデザインが求められている。
【０００４】
特許文献１には、板状水平補強構造と締結具を用いてブロックを組積したブロック組積構造が示されている。
【０００５】
特許文献２には、左右両端間に縦筋を通し、上面に横筋を通して積み上げられた構築用ブロックが示されている。
【０００６】
このように、従来の外構構造は、ブロックを下から順に組積して構成されていた。
【特許文献１】特開平９−２１１９９号公報
【特許文献２】特開平１１−８１５２２号公報
【発明の開示】
【発明が解決しようとする課題】
【０００７】
完成した外構構造は通常一面に敷き詰められたブロックから構成されている。外構構造の内側に矩形の枠（パネル）等を設けることもあるが、外構構造のデザインは限られたものとなる。
【０００８】
他の工法で製造した外構構造や、ＲＣ構造或いは鉄骨に無機系ボードを取り付けた構造では、種々のデザインが可能となるものの、製造コストが高くなる。とくに、鉄骨に無機系ボードを取り付けた構造では、鉄骨の芯がある所以外にアンカーボルトの取付けをする事ができないため、自由なデザインの外構構造を製造することは困難である。
【０００９】
そこで本発明は、低コストで種々のデザインを採用できる外構構造及び外構構造のためのＬ字状部材を提供することを目的としている。
【課題を解決するための手段】
【００１０】
本発明の解決手段を例示すると、以下のとおりである。
【００１１】
（１）  複数のブロック（１４、１４ａ、５４）とＬ字状部材（１２、３２、５２）を有し、Ｌ字状部材（１２、３２、５２）が、縦方向部分（１６、３６、５６）と、その縦方向部分（１６、３６、５６）の一端に垂直に連結された横方向部分（１８、３８、５８）からなり、縦方向部分（１６、３６、５６）が直立し、かつ、横方向部分（１８、３８、５８）が上側に位置して水平方向に配置されており、縦方向部分（１６、３６、５６）と横方向部分（１８、３８、５８）の少なくとも一方の支持面（１６ａ、１６ｂ、１８ａ、３６ａ、３６ｂ、３８ａ、５６ｂ、５８ａ）にブロック（１４、１４ａ、５４）が支持されている外構構造。
【００１２】
（２）  横方向部分（１８、３８、５８）が、上側に支持面として上側支持面（１８ａ、３８ａ、５８ａ）を有しており、その上側支持面（１８ａ、３８ａ、５８ａ）の幅が、ブロック（１４、５４）の幅の倍数と実質的に等しく構成されていることを特徴とする前述の外構構造。
【００１３】
（３）  縦方向部分（１６、３６、５６）が、横方向部分（１８、３８、５８）の向けられた側と反対側に支持面として外側支持面（１６ｂ、３６ｂ、５６ｂ）を有しており、その外側支持面（１６ｂ、３６ｂ、５６ｂ）の長さが、地中に入る部分を除いて、ブロック（１４、５４）の高さの倍数と実質的に等しく構成されていることを特徴とする前述の外構構造。
【００１４】
（４）  縦方向部分（１６、３６）が、横方向部分（１８、３８）の向けられた側と反対側に支持面として外側支持面（１６ｂ、３６ｂ）を有しており、その外側支持面にブロック（１４）が接触して配置されており、縦方向部分（１６、３６）が、横方向部分（１８、３８）の向けられた側と同じ側に支持面として内側支持面（１６ａ、３６ａ）を有しており、その内側支持面（１６ａ、３６ａ）に更なるブロック（１４ａ）が接触して配置されていることを特徴とする前述の外構構造。
【００１５】
（５）  Ｌ字状部材（１２、３２、５２）の厚さが、ブロック（１４、１４ａ、５４）の厚さと実質的に等しく構成されていることを特徴とする前述の外構構造。
【００１６】
（６）  ブロック（１４、１４ａ、５４）が、コンクリートブロック、ガラスブロック、レンガのうち１種類または複数種類で構成されていることを特徴とする前述の外構構造。
【００１７】
（７）  Ｌ字状部材が鉄の構造材であることを特徴とする前述の外構構造。
【００１８】
（８）  縦方向部分（１６、３６）が、横方向部分（１８、３８）の向けられた側と同じ側に支持面として内側支持面（１６ａ、３６ａ）を有しており、内側支持面（１６ａ、３６ａ）に更なるブロック（１４ａ）が支持されていて、縦方向部分（１６、３６）、横方向部分（１８、３８）、及び更なるブロック（１４ａ）で囲まれた領域に開放側端（２２、４２）が形成されていることを特徴とする前述の外構構造。
【００１９】
（９）  縦方向部分（１６、３６）が、横方向部分（１８、３８）の向けられた側と同じ側に支持面として内側支持面（１６ａ、３６ａ）を有しており、内側支持面（１６ａ、３６ａ）に更なるブロック（１４ａ）が支持されていて、更なるブロック（１４ａ）の縦方向部分（１６、３６）と反対側にブロック（１４）が少なくとも横方向部分（１８、３８）の高さまで組積されて配置されており、縦方向部分（１６、３６）、横方向部分（１８、３８）、ブロック（１４）、及び更なるブロック（１４ａ）で囲まれた領域に矩形の空間が形成されていることを特徴とする前述の外構構造。
【００２０】
（１０）  ブロック（１４、１４ａ、５４）を支持するためのＬ字状部材であって、縦方向部分（１６、３６、５６）と、その縦方向部分（１６、３６、５６）の一端に垂直に連結された横方向部分（１８、３８、５８）からなり、縦方向部分（１６、３６、５６）と横方向部分（１８、３８、５８）の厚さが、ともにブロック（１４、１４ａ、５４）の厚さと実質的に等しく構成されているＬ字状部材。
【００２１】
（１１）  横方向部分（１８、３８、５８）が、上側にブロック（１４、５４）を支持するための上側支持面（１８ａ、３８ａ、５８ａ）を有しており、上側支持面（１８ａ、３８ａ、５８ａ）の幅が、ブロック（１４、５４）の幅の倍数と実質的に等しく構成されていることを特徴とする前述のＬ字状部材。
【００２２】
（１２）  縦方向部分（１６、３６、５６）が、横方向部分（１８、３８、５８）の向けられた側と反対側にブロック（１４、５４）を支持するための外側支持面（１６ｂ、３６ｂ、５６ｂ）を有しており、外側支持面（１６ｂ、３６ｂ、５６ｂ）の長さが、地中に入る部分を除いて、ブロック（１４、５４）の高さの倍数と実質的に等しく構成されていることを特徴とする前述のＬ字状部材。
【００２３】
（１３）  横方向部分（１８、３８、５８）が、上側にブロック（１４、５４）を支持するための上側支持面（１８ａ、３８ａ、５８ａ）を有しており、上側支持面（１８ａ、３８ａ、５８ａ）の幅が、ブロック（１４、５４）の幅以上であることを特徴とする前述のＬ字状部材。
【発明の効果】
【００２４】
本発明によれば、低コストで種々のデザインを採用した外構構造を提供できる。
【００２５】
例えば、Ｌ字状部材とブロックを任意に組み合わせて所望のデザインとすることができる。またＬ字状部材の寸法を適宜変更して外構構造を構成することができる。この場合、必要に応じてＬ字状部材を切断して種々の寸法に加工することも容易である。とくに、Ｌ字状部材は従来の矩形の枠（パネル）等と比較して製造コストが安く、かつ、汎用性が高く、外構構造のデザインを多様化しやすい。
【００２６】
横方向部分の上側支持面の幅が、ブロックの幅の倍数と実質的に等しく構成されているようにすれば、ブロックがＬ字状部材に対して整然と配列され、外観上良好な外構構造を製造できる。
【００２７】
縦方向部分の外側支持面の長さが、地中に入る部分を除いて、ブロックの高さの倍数と実質的に等しく構成されているようにすれば、ブロックがＬ字状部材に対して整然と配列され、外観上良好な外構構造を製造できる。
【００２８】
縦方向部分の外側支持面にブロックが接触して配置されており、縦方向部分が、横方向部分の向けられた側と同じ側に支持面として内側支持面を有しており、内側支持面に更なるブロックが接触して配置されている構成にすれば、Ｌ字状部材がブロックに含められた外観上一体的な外構構造を提供できる。
【００２９】
Ｌ字状部材の厚さが、ブロックの厚さと実質的に等しく構成されていると、空洞コンクリートブロックやレンガを用いた通常の組積工法と組み合わせて使用できる。
【００３０】
縦方向部分の内側支持面に更なるブロックが支持されていて、縦方向部分、横方向部分、及び更なるブロックで囲まれた領域に開放側端が形成されていると、外構構造の側方に種々のデザインを採用しやすくなる。側方に設けられた開放側端をそのまま外構構造のデザインとして利用することもできるし、側方に設けられた開放側端に更に別の構成部品を取り付けたものを外構構造のデザインとして利用することもできる。この場合、多数の更なるブロックを配置して狭い開放側端を形成しても良いし、少数の更なるブロックを配置して広い開放側端を形成しても良い。
【００３１】
縦方向部分の内側支持面に更なるブロックが支持されていて、更なるブロックの縦方向部分と反対側にブロックが少なくとも横方向部分の高さまで組積されて配置されており、縦方向部分、横方向部分、ブロック、及び更なるブロックで囲まれた領域に空間が形成されていると、矩形の枠（パネル）を用いなくても、外構構造に空間（窓）を形成できる。この場合、多数の更なるブロックを配置して狭い空間（窓）を形成しても良いし、少数の更なるブロックを配置して広い空間（窓）を形成しても良い。
【００３２】
横方向部分の上側に設けられた上側支持面の幅がブロックの幅以上であると、必要に応じてＬ字状部材を切断して種々の寸法に加工することも容易である。
【００３３】
こうして、本発明の外構構造によれば、従来の工法、例えば従来の組積工法では困難であったデザインの採用がしやすくなるのである。
【発明を実施するための最良の形態】
【００３４】
本発明の最良の形態による外構構造は、複数のブロックとＬ字状部材からなる。Ｌ字状部材は、縦方向部分と、縦方向部分の一端に垂直に連結された横方向部分からなる。縦方向部分が直立し、かつ、横方向部分が上側に位置して水平方向に配置されている。縦方向部分と横方向部分の少なくとも一方の支持面にブロックが支持される。
【００３５】
横方向部分が、上側に支持面として上側支持面を有しており、上側支持面の幅が、ブロックの幅の倍数と実質的に等しく構成されているのが好ましい。
【００３６】
縦方向部分が、横方向部分の向けられた側と反対側に支持面として外側支持面を有しており、外側支持面の長さが、ブロックの高さの倍数と実質的に等しく構成されているのが好ましい。
【００３７】
縦方向部分が、横方向部分の向けられた側と反対側に支持面として外側支持面を有しており、外側支持面にブロックが接触して配置されており、縦方向部分が、横方向部分の向けられた側と同じ側に支持面として内側支持面を有しており、内側支持面に更なるブロックが接触して配置されているのが好ましい。
【００３８】
Ｌ字状部材の厚さが、ブロックの厚さと実質的に等しく構成されているのが好ましい。
【００３９】
ブロックが、コンクリートブロック、ガラスブロック、レンガのうち１種類または複数種類で構成されているのが好ましい。
【００４０】
縦方向部分が、横方向部分の向けられた側と同じ側に支持面として内側支持面を有しており、内側支持面に更なるブロックが支持されていて、縦方向部分、横方向部分、及び更なるブロックで囲まれた領域に開放側端が形成されているのが好ましい。
【００４１】
縦方向部分が、横方向部分の向けられた側と同じ側に支持面として内側支持面を有しており、内側支持面に更なるブロックが支持されていて、更なるブロックの縦方向部分と反対側にブロックが少なくとも横方向部分の高さまで組積されて配置されており、縦方向部分、横方向部分、ブロック、及び更なるブロックで囲まれた領域に空間が形成されているのが好ましい。
【００４２】
更に本発明のＬ字状部材は、ブロックを支持するためのＬ字状部材であって、縦方向部分と、縦方向部分の一端に垂直に連結された横方向部分からなり、縦方向部分と横方向部分の厚さが、ともにブロックの厚さと実質的に等しく構成されていることを特徴とする。
【００４３】
横方向部分が、上側にブロックを支持するための上側支持面を有しており、上側支持面の幅が、ブロックの幅の倍数と実質的に等しく構成されているのが好ましい。
【００４４】
縦方向部分が、横方向部分の向けられた側と反対側にブロックを支持するための外側支持面を有しており、外側支持面の長さが、地中に入る部分を除いて、ブロックの高さの倍数と実質的に等しく構成されているのが好ましい。例えば、地中に入る部分の長さを予め所定の長さに設定し、その残りの長さを外側支持面の長さとしてブロックの高さの倍数と実質的に等しくするのが好ましい。
【００４５】
本発明の外構構造は、門や塀などの他、垣、壁面等の種々の構造物に適用可能である。
【００４６】
以下に示す実施例のように、Ｌ字状部材は、縦方向部分を地中に固定して安定させるのが好ましい。もっとも、Ｌ字状部材は、任意の固定部材を用いて地面に固定されてもよい。
【００４７】
以下に示す実施例のように、縦方向部分の２つの側面と横方向部分の上面にブロックを支持するための支持面を設けるのが好ましい。縦方向部分が有する支持面は、以下に示す実施例のように、横方向部分の向けられた側と同じ側に設けられた内側支持面と、横方向部分の向けられた側と反対側に設けられた外側支持面から構成されるのが好ましいが、横方向部分の向けられた側と垂直方向の側面から構成されてもよい。縦方向部分の側面のみにブロックを支持するための支持面が設けられていても良い。
【００４８】
本発明のＬ字状部材は、以下に示す実施例においては、表面に部分的に無機系（セメント系）ボードが貼り付けられた鉄の構造材で構成されているが、他の任意の剛体部材を用いることもできる。
【００４９】
縦方向部分と横方向部分の厚さは、ブロックの厚さと実質的に等しく構成されているのが好ましい。以下に示す実施例のように、部材を鉄の構造材で構成してその表面に部分的に無機系（セメント系）ボードを取り付けた場合は、ボードを含めた部材の厚さがブロックの厚さと等しく構成されているのが好ましい。
【００５０】
以下に示す実施例においては、ブロックは、コンクリートブロック、ガラスブロックとして示されているが、その他レンガ等の種々の塊状物やこれらの複数種類の組み合わせで構成することも可能である。
【実施例】
【００５１】
以下、図面を参照して本発明の実施例を説明する。
【００５２】
図１は、本発明による外構構造の一例を示す。図２は、Ｌ字状部材の一例を示す概略斜視図である。
【００５３】
外構構造１０は、２つのＬ字状部材１２と複数のブロック１４を有する。
【００５４】
Ｌ字状部材１２は、鉄の構造材で構成されていて、その表面には部分的に無機系（セメント系）ボードが貼り付けられている（図示省略）。ブロック１４はコンクリートブロックで構成されている。Ｌ字状部材１２の厚さは、ブロック１４の厚さと実質的に等しく構成されている。図１及び図２に示された例においては、無機系（セメント系）ボードを含めたＬ字状部材１２の厚さがブロック１４の厚さと等しく構成されている。
【００５５】
Ｌ字状部材１２は、縦方向部分１６と、縦方向部分１６の一端に垂直に連結された横方向部分１８からなる。縦方向部分１６と横方向部分１８は、ともに断面矩形である。Ｌ字状部材１２は、縦方向部分１６が直立し、かつ、横方向部分１８が上側に位置して水平方向にした状態で配置される。
【００５６】
縦方向部分１６は、横方向部分１８の向けられた側と同じ側に内側支持面１６ａを有している。内側支持面１６ａに更なる幅狭のブロック１４ａが接触して配置され得るようになっている。図１に示された例においては、内側支持面１６ａに２つの幅狭のブロック１４ａがそれぞれ接触して配置されている。
【００５７】
縦方向部分１６は、横方向部分１８の向けられた側と反対側に外側支持面１６ｂを有している。外側支持面１６ｂにブロック１４が接触して配置され得るようになっている。図１に示された例においては、外側支持面１６ｂに６つのブロック１４がそれぞれ接触して配置されている。この場合、外側支持面１６ｂの長さが、地中に入る部分を除いて、ブロック１４の高さの６倍と実質的に等しく構成されている。
【００５８】
横方向部分１８は、上側に上側支持面１８ａを有している。上側支持面１８ａにブロック１４が載置されて支持され得るようになっている。図１に示された例においては、上側支持面１８ａに１つのブロック１４が載置されて支持されている。この場合、上側支持面１８ａの幅は、ブロック１４の幅のほぼ１倍と等しく構成されている。
【００５９】
２つのＬ字状部材１２は、各横方向部分１８を互いに反対に向けて地面２０に設置されている。Ｌ字状部材１２の縦方向部分１６の下端が地面２０の内部に埋め込まれていて（図示省略）、固定されている。
【００６０】
縦方向部分１６、横方向部分１８、及び幅狭のブロック１４ａで囲まれた領域に開放側端２２が形成されている。開放側端２２を利用して、外構構造１０を種々のデザインで構成できる。開放側端２２をそのまま外構構造１０のデザインに利用しても良いし、開放側端２２に別の構成部品を取り付けたものを外構構造１０のデザインに利用しても良い。寸法の一例を挙げると、地中部分を含むＬ字状部材１２の縦方向の長さは例えば１６００ｍｍである。Ｌ字状部材１２の横方向の最大幅は、ブロック１４の幅とほぼ同じである。なお、図示は省略されているが、例えば幅狭のブロック１４ａの縦方向部分１６と反対側に更なるブロック１４を配置し、更なるブロック１４を少なくとも横方向部分１８の高さまで組積して、縦方向部分１６、横方向部分１８、ブロック１４ａ、及び更なるブロック１４で囲まれた領域に空間を形成することもできる。
【００６１】
図３は、本発明による外構構造の別の例を示す。なお、図１及び図２と同じ部材には同じ符号を付してある。
【００６２】
外構構造３０は、１つのＬ字状部材３２と複数のブロック１４を有する。
【００６３】
Ｌ字状部材３２は、鉄の構造材で構成されていて、その表面には部分的に無機系（セメント系）ボードが貼り付けられている（図示省略）。ブロック１４はコンクリートブロックで構成されている。Ｌ字状部材３２の厚さは、ブロック１４の厚さと実質的に等しく構成されている。図３に示した例においては、ボードを含めた部材の厚さがブロック１４の厚さと等しく構成されている。
【００６４】
Ｌ字状部材３２は、縦方向部分３６と、縦方向部分３６の一端に垂直に連結された横方向部分３８からなる。縦方向部分３６と横方向部分３８は、ともに断面矩形である。Ｌ字状部材３２は、縦方向部分３６が直立し、かつ、横方向部分３８が上側に位置して水平方向にした状態で配置される。
【００６５】
縦方向部分３６は、横方向部分３８の向けられた側と同じ側に内側支持面３６ａを有している。内側支持面３６ａに更なる幅狭のブロック１４ａが接触して配置され得るようになっている。図３に示された例においては、内側支持面３６ａに２つの幅狭のブロック１４ａが接触して配置されている。
【００６６】
縦方向部分３６は、横方向部分３８の向けられた側と反対側に外側支持面３６ｂを有している。外側支持面３６ｂにブロック１４が接触して配置され得るようになっている。図３に示された例においては、外側支持面３６ｂに７つのブロック１４が２列にわたって接触して配置されている。この場合、外側支持面３６ｂの長さが、地中に入る部分を除いて、ブロック１４の高さの７倍と実質的に等しく構成されている。
【００６７】
横方向部分３８は、上側に上側支持面３８ａを有している。上側支持面３８ａにブロック１４が載置されて支持され得るようになっている。図３に示された例においては、上側支持面３８ａに１つのブロック１４が載置されて支持されている。この場合、上側支持面３８ａの幅は、ブロック１４の幅のほぼ１倍と等しく構成されている。
【００６８】
Ｌ字状部材３２は、横方向部分３８を水平方向に向けて地面２０に設置されている。Ｌ字状部材３２の縦方向部分３６の下端が地面２０の内部に埋め込まれていて（図示省略）、固定されている。
【００６９】
縦方向部分３６、横方向部分３８、及び幅狭のブロック１４ａで囲まれた領域に開放側端４２が形成されている。開放側端４２は、図１に示された開放側端２２よりも大きい。この比較的大きな開放側端４２を利用して、外構構造３０を種々のデザインで構成できる。比較的大きな開放側端４２をそのまま外構構造３０のデザインに利用しても良いし、比較的大きな開放側端４２に別の構成部品を取り付けたものを外構構造３０のデザインに利用しても良い。寸法の一例を挙げると、地中部分を含むＬ字状部材３２の縦方向の長さは例えば１８００ｍｍである。Ｌ字状部材３２の横方向の最大幅は、ブロック１４の幅とほぼ同じである。なお、図示は省略されているが、例えば幅狭のブロック１４ａの縦方向部分３６と反対側に更なるブロック１４を配置し、更なるブロック１４を少なくとも横方向部分３８の高さまで組積して、縦方向部分３６、横方向部分３８、ブロック１４ａ、及び更なるブロック１４で囲まれた領域に空間を形成することもできる。
【００７０】
図４は、本発明による外構構造の更に別の例を示す。
【００７１】
外構構造５０は、１つのＬ字状部材５２と複数のブロック５４を有する。
【００７２】
Ｌ字状部材５２は任意の剛体部材で構成されている。ブロック５４はガラスブロックで構成されている。Ｌ字状部材５２の厚さは、ブロック５４の厚さと等しく構成されている。
【００７３】
Ｌ字状部材５２は、縦方向部分５６と、縦方向部分５６の一端に垂直に連結された横方向部分５８からなる。縦方向部分５６と横方向部分５８は、ともに断面矩形である。Ｌ字状部材５２は、縦方向部分５６が直立し、かつ、横方向部分５８が上側に位置して水平方向に配置された状態で使用される。
【００７４】
縦方向部分５６は、横方向部分５８の向けられた側と反対側に外側支持面５６ｂを有している。外側支持面５６ｂにブロック５４が接触して配置され得るようになっている。図４に示された例においては、外側支持面５６ｂに４つのブロック５４が４列にわたって接触して配置されている。この場合、外側支持面５６ｂの長さが、地中に入る部分を除いて、ブロック５４の高さの４倍と実質的に等しく構成されている。
【００７５】
横方向部分５８は、上側に上側支持面５８ａを有している。上側支持面５８ａにブロック５４が載置されて支持され得るようになっている。図４に示された例においては、上側支持面５８ａに３つのブロック５４が２段にわたって載置されて支持されている。この場合、上側支持面５８ａの幅は、ブロック５４の幅のほぼ３倍と等しく構成されている。
【００７６】
Ｌ字状部材５２は、横方向部分５８を水平方向に向けて図示省略した固定手段を用いて地面２０に対して固定されている。
【００７７】
縦方向部分５６及び横方向部分５８で囲まれた領域には、開放側端６２が形成されている。開放側端６２を利用して、外構構造５０を種々のデザインで構成できる。開放側端６２をそのまま外構構造５０のデザインに利用しても良いし、開放側端６２に別の構成部品を取り付けたものを外構構造５０のデザインに利用しても良い。なお、図示は省略されているが、例えば縦方向部分５６のブロック５４と反対側に間隔を空けて更なるブロック５４を配置し、更なるブロック５４を少なくとも横方向部分５８の高さまで組積して、縦方向部分５６、横方向部分５８、及び更なるブロック５４で囲まれた領域に空間を形成することもできる。
【００７８】
本発明は図示された実施例に限定されない。ブロック及びＬ字状部材のサイズ、個数、配置等は任意である。
【図面の簡単な説明】
【００７９】
【図１】本発明による外構構造の一例を示す。
【図２】Ｌ字状部材の一例を示す概略斜視図である。
【図３】本発明による外構構造の別の例を示す。
【図４】本発明による外構構造の更に別の例を示す。
【符号の説明】
【００８０】
１０、３０、５０  外構構造
１２、３２、５２  Ｌ字状部材
１４、５４  ブロック
１４ａ  幅狭のブロック（更なるブロック）
１６、３６、５６  縦方向部分
１６ａ、３６ａ  内側支持面
１６ｂ、３６ｂ、５６ｂ  外側支持面
１８、３８、５８  横方向部分
１８ａ、３８ａ、５８ａ  上側支持面
２０  地面
２２、４２、６２  開放側端
【図１】
2006169908.tif 000003
【図２】
2006169908.tif 000004
【図３】
2006169908.tif 000005
【図４】
2006169908.tif 000006